【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、
前記電機子用スイッチング素子と前記制御基板とを少なくとも収容する収容ケース（３０）と、を備え、
前記回転子が固定される回転軸（１４）の軸方向において、前記ヒートシンクは、前記制御基板を挟んで、前記電動部の反対側に配置されるとともに、前記ヒートシンクは、前記軸方向において、前記収容ケースを挟んで、前記制御基板の反対側に配置される回転電機。
【請求項２】
前記ヒートシンクにおいて、前記制御基板側の側面部に前記電機子用スイッチング素子が当接されており、
前記収容ケースには、前記制御基板と前記ヒートシンクとの間に孔部（３０ａ）が設けられており、
前記孔部は、前記軸方向において、前記電機子用スイッチング素子が前記ヒートシンクに当接される位置と重なる位置に設けられている請求項１に記載の回転電機。
【請求項３】
前記電機子用スイッチング素子は、前記軸方向において、前記ヒートシンクの前記流通路の位置と重なるように配置されている請求項２に記載の回転電機。
【請求項４】
前記電機子用スイッチング素子は、前記軸方向において、前記電機子巻線と重ならない位置であって、且つ、前記ヒートシンクの前記流通路の位置と重なる位置に配置されている請求項２に記載の回転電機。
【請求項５】
前記収容ケース内には、前記制御基板及び前記電機子用スイッチング素子を覆う樹脂層（３５）が設けられている請求項１〜４のうちいずれか１項に記載の回転電機。
【請求項６】
前記流通路は、前記軸方向において、前記電機子巻線と重ならない位置に配置されている請求項１〜５のうちいずれか１項に記載の回転電機。
【請求項７】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記流通路は、前記軸方向において、前記電機子巻線と重ならない位置に配置されている回転電機。
【請求項８】
前記回転軸の径方向において、少なくとも一部分が前記制御基板と重なる位置に配置され、前記界磁巻線に対して給電を行うブラシ（８０）を備える請求項１〜７のうちいずれか１項に記載の回転電機。
【請求項９】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記回転軸の径方向において、少なくとも一部分が前記制御基板と重なる位置に配置され、前記界磁巻線に対して給電を行うブラシ（８０）を備える回転電機。
【請求項１０】
前記電動部は、前記回転軸の両端部のうち、前記制御部側の端部に磁石（９１）を備え、
前記制御部は、当該磁石に対向する回転センサが搭載され、且つ、前記軸方向において前記電機子用スイッチング素子と離間して配置される回転センサ基板（９２）を備える請求項１〜９のうちいずれか１項に記載の回転電機。
【請求項１１】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記電動部は、前記回転軸の両端部のうち、前記制御部側の端部に磁石（９１）を備え、
前記制御部は、当該磁石に対向する回転センサが搭載され、且つ、前記軸方向において前記電機子用スイッチング素子と離間して配置される回転センサ基板（９２）を備える回転電機。
【請求項１２】
前記ヒートシンクは、前記軸方向において、前記制御基板側に突出する突出部（４５）を有し、
前記制御基板は、前記突出部に当接されている請求項１〜１１のうちいずれか１項に記載の回転電機。
【請求項１３】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記ヒートシンクは、前記軸方向において、前記制御基板側に突出する突出部（４５）を有し、
前記制御基板は、前記突出部に当接されている回転電機。
【請求項１４】
前記制御基板には、前記界磁巻線への通電及び通電遮断を切り替える界磁用スイッチング素子（７１）が搭載されており、当該界磁用スイッチング素子が前記ヒートシンクに当接されている請求項１２又は１３に記載の回転電機。
【請求項１５】
前記電機子用スイッチング素子によって整流された直流電流を平滑する電解コンデンサ（６０）を備え、
前記電解コンデンサは、前記ヒートシンクに当接されている請求項１〜１４のうちいずれか１項に記載の回転電機。
【請求項１６】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記電機子用スイッチング素子によって整流された直流電流を平滑する電解コンデンサ（６０）を備え、
前記電解コンデンサは、前記ヒートシンクに当接されている回転電機。
【請求項１７】
前記電機子用スイッチング素子及び前記流通路は、それぞれ複数設けられ、
前記各流通路は、前記軸方向において前記電機子用スイッチング素子のいずれかと重なる位置に配置されている請求項１〜１６のうちいずれか１項に記載の回転電機。
【請求項１８】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記電機子用スイッチング素子及び前記流通路は、それぞれ複数設けられ、
前記各流通路は、前記軸方向において前記電機子用スイッチング素子のいずれかと重なる位置に配置されている回転電機。
【請求項１９】
前記ヒートシンクには、前記流通路の周りに通風路（２０１）が設けられている請求項１〜１８のうちいずれか１項に記載の回転電機。
【請求項２０】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記ヒートシンクには、前記流通路の周りに通風路（２０１）が設けられている回転電機。
【請求項２１】
前記ヒートシンクには、前記流通路の流入口（４３ａ）及び流出口（４３ｂ）が設けられており、当該流入口から流入した冷媒が、前記流通路内を流通して、当該流出口から流出されるように構成されており、
車両に配置される場合、前記車両の上下方向において前記流出口は、前記流入口よりも上方に配置されるとともに、前記流通路よりも上方に配置される請求項１〜２０のうちいずれか１項に記載の回転電機。
【請求項２２】
固定子（１２）に設けられる電機子巻線（１２ｂ）及び回転子（１３）に設けられる界磁巻線（１３ｂ）を有する電動部（１０）と、前記電動部に一体化され、前記電動部を制御する制御部（２０）と、を備える回転電機（１００）において、
前記制御部は、
前記電機子巻線への通電及び通電遮断を切り替える電機子用スイッチング素子（５１，１０２ａ〜１０２ｃ）と、
前記電機子用スイッチング素子を利用して、前記電機子巻線の通電制御を行う制御基板（７０）と、
内部に冷媒が流通する流通路（４３，１０１ａ，１０１ｂ）を有し、前記電機子用スイッチング素子を冷却するヒートシンク（４０）と、を備え、
前記回転子が固定される回転軸（１４）の軸方向において、前記ヒートシンクは、前記制御基板を挟んで、前記電動部の反対側に配置され、
前記ヒートシンクには、前記流通路の流入口（４３ａ）及び流出口（４３ｂ）が設けられており、当該流入口から流入した冷媒が、前記流通路内を流通して、当該流出口から流出されるように構成されており、
車両に配置される場合、前記車両の上下方向において前記流出口は、前記流入口よりも上方に配置されるとともに、前記流通路よりも上方に配置される回転電機。